(57)【要約】【課題】水滴落下衝突時のＡ特性音圧レベルを低減できて、水滴落下衝突音の低減効果に優れた換気口端末部材等を提供する。【解決手段】本発明に係る換気口端末部材１は、建物の外壁に形成された換気孔に取付けられる換気口端末部材であって、建物の外壁面より建物の外側に突出するフード部３と、フード部３の天板３２の上に弾性支持体４を介して設けられた水滴受板５と、水滴受板５に付加された質量体Ｘとを備えたことを特徴とする。【選択図】図１
2020106246.tif 000002
【特許請求の範囲】
【請求項１】
建物の外壁に形成された換気孔に取付けられる換気口端末部材であって、
建物の外壁面より建物の外側に突出するフード部と、フード部の天板の上に弾性支持体を介して設けられた水滴受板と、水滴受板に付加された質量体とを備えたことを特徴とする換気口端末部材。
【請求項２】
水滴受板と弾性支持体と質量体とで構成される防振体の一次固有振動数ｆ０が、オクターブバンドの１６Ｈｚ以上で１２５Ｈｚ以下の周波数となるように設定されたことを特徴とする請求項１に記載の換気口端末部材。
【請求項３】
請求項１又は請求項２のいずれか一項に記載された換気口端末部材のフード部及び水滴受板が外壁面よりも外側に突出するように当該換気口端末部材が外壁に設けられた建物であって、
建物の上下階の外壁に設けられた各換気口端末部材の各水滴受板が、垂直線上に位置されたことを特徴とする建物。
【発明の詳細な説明】
【技術分野】
【０００１】
本発明は、フード部の天板の上に弾性支持体を介して水滴受板が設けられた構造を備えた換気口端末部材等に関する。
【背景技術】
【０００２】
集合住宅、ホテル、事務所ビル等の建物においては、換気設備の設置が義務付けられている。当該換気設備としては、居室に換気口が設置されて、居室の外壁にベントキャップ等と呼称される換気口端末部材が設置されることが多い。
当該換気口端末部材は、フード部が外壁面よりも外側に突出するように建物の上下階の外壁の換気孔にそれぞれ取付けられ、上下階の各換気口端末部材が、垂直線上に位置されることが多い。
当該建物においては、降雨等の後に、上階の換気口端末部材から水滴が落下して下階の換気口端末部材のフード部の天板の上に衝突した際に、水滴落下衝突音が生じ、当該水滴落下衝突音が固体伝播音として居室内に伝播する。
当該水滴落下衝突音の低下対策を施した換気口端末部材としては、例えば、フード部の天板の上に弾性支持体を介して水滴受板が設けられた構造のものが知られている（特許文献１参照）。
【先行技術文献】
【特許文献】
【０００３】
【特許文献１】特許第５２５８７１２号公報
【発明の概要】
【発明が解決しようとする課題】
【０００４】
しかしながら、特許文献１に開示された換気口端末部材では、弾性支持体と水滴受板とで構成される防振体の一次固有振動数ｆ０が高くなり、上述した水滴落下衝突時における中高周波数帯域の音を低減させる効果が十分ではないため、水滴落下衝突時のＡ特性音圧レベルを低減できないという課題があった。
本願発明は、水滴落下衝突時のＡ特性音圧レベルを低減できて、水滴落下衝突音の低減効果に優れた換気口端末部材等を提供するものである。
【課題を解決するための手段】
【０００５】
本発明に係る換気口端末部材は、建物の外壁に形成された換気孔に取付けられる換気口端末部材であって、建物の外壁面より建物の外側に突出するフード部と、フード部の天板の上に弾性支持体を介して設けられた水滴受板と、水滴受板に付加された質量体とを備えたことを特徴とする。
また、水滴受板と弾性支持体と質量体とで構成される防振体の一次固有振動数ｆ０が、オクターブバンドの１６Ｈｚ以上で１２５Ｈｚ以下の周波数となるように設定されたことを特徴とする。
以上のように構成された換気口端末部材によれば、水滴落下衝突時のＡ特性音圧レベルを低減できて、水滴落下衝突音の低減効果に優れた換気口端末部材となる。
また、本発明に係る建物は、上述したいずれかの換気口端末部材のフード部及び水滴受板が外壁面よりも外側に突出するように当該換気口端末部材が外壁に設けられた建物であって、建物の上下階の外壁に設けられた各換気口端末部材の各水滴受板が、垂直線上に位置されたので、上階の換気口端末部材から水滴が落下して下階の換気口端末部材の水滴受板に衝突した際に生じる水滴落下衝突音の低減効果に優れた建物を提供できる。
【図面の簡単な説明】
【０００６】
【図１】換気口端末部材を前側から見た斜視図（実施形態１）。
【図２】換気口端末部材を後側から見た斜視図（実施形態１）。
【図３】換気口端末部材の正面図（実施形態１）。
【図４】換気口端末部材の背面図（実施形態１）。
【図５】建物の上下階の外壁に取付けられた上の換気口端末部材から下の換気口端末部材に水滴が落下する状態を示す図（実施形態１）。
【図６】換気口端末部材の防振体の構造を示す断面図（実施形態１）。
【図７】実験結果を示す数値表。
【図８】実験結果を示す比較グラフ。
【図９】実験結果を示す数値表
【図１０】実験結果を示す比較グラフ。
【図１１】実験結果に基づく各試験体の防振体の一次固有振動数ｆ０とＡ特性音圧レベルとの関係を示すグラフ。
【図１２】実験結果に基づく各試験体の防振体の一次固有振動数ｆ０とＡ特性音圧レベルとの関係を示すグラフ。
【図１３】換気口端末部材の防振体の構造を示す断面図（実施形態２）。
【図１４】換気口端末部材の防振体の構造を示す断面図（実施形態３）。
【図１５】換気口端末部材の防振体の構造を示す断面図（実施形態４）。
【図１６】換気口端末部材の防振体の構造を示す断面図（実施形態５）。
【図１７】換気口端末部材の防振体の構造を示す断面図（実施形態６）。
【発明を実施するための形態】
【０００７】
実施形態１
図１乃至図６に示すように、実施形態１に係る換気口端末部材１は、建物９０の外壁９１に建物９０の内外に連通するように形成された換気孔９２に挿入される筒部２と、建物９０の外壁面９３より外側に突出するフード部３と、フード部３の天板３２の上に弾性支持体４を介して設けられた水滴受板５と、水滴受板５に付加された質量体Ｘとを備え、水滴受板５と弾性支持体４と質量体Ｘとで構成される防振体の一次固有振動数ｆ０が、オクターブバンドの１６Ｈｚ以上で１２５Ｈｚ以下の周波数となるように設定されている。
当該換気口端末部材１の筒部２、フード部３、水滴受板５は、例えば金属板により形成される。
尚、本明細書においては、換気口端末部材１の上、下、左、右、前、後は、図１，図２に示した方向と定義して説明する。
【０００８】
図１，図２に示すように、フード部３は、四角形状の前板３１と、天板（上板）３２と、左側板３３と、右側板３４と、後板３５とを備えた直方体函状に形成されており、下部が開口された室外側通風孔３６（図１参照）に形成されて、かつ、後板３５を形成する四角形状の板の中央側が開口された室内側通風孔３７に形成され、当該室内側通風孔３７の孔縁側に筒部２の一端開口縁側が接続されている。即ち、筒部２が、フード部３の後板３５に接続されて当該後板３５の後方に延長するように設けられた構成となっている。筒部２は、例えば、円筒部に形成される。
即ち、フード部３は、換気口端末部材１が換気孔９２に取付けられることによって、下部の室外側通風孔３６、及び、室内側通風孔３７を介して、建物９０の内側から建物９０の外側に、又は、建物９０の外側から建物９０の内側に空気が流通可能となる。
また、室外側通風孔３６、及び、室内側通風孔３７のうち、少なくとも、一方の通風孔はガラリ３８（図１参照）に形成されている。
【０００９】
換言すれば、フード部３は、四角形状の前板３１と、前板３１の板面と対向する板面を備えた後板３５と、前板３１の四角形の上辺と後板３５の四角形の上辺とを繋ぐ天板３２と、前板３１の四角形の上辺の一端より下方に延長する四角形の左辺と後板３５の四角形の上辺の一端より下方に延長する左辺とを繋ぐ左側板３３と、前板３１の四角形の上辺の他端より下方に延長する四角形の右辺と後板３５の四角形の上辺の他端より下方に延長する右辺とを繋ぐ右側板３４とで構成され、換気口端末部材１が換気孔９２に取付けられた場合、これら前板３１と天板３２と左側板３３と右側板３４と後板３５とで囲まれた空間が、下部の室外側通風孔３６を介して室外と連通し、かつ、後板３５の室内側通風孔３７を介して室内と連通するように構成されている。
【００１０】
即ち、換気口端末部材１は、筒部２が筒部２の他端側から建物９０の外壁９１に形成された換気孔９２に挿入されて、フード部３の後板３５の後面３５ａが建物９０の外壁面９３に近接し、かつ、天板３２が上方、左側板３３が左側、右側板３４が右側に位置された状態となるように設置される。
尚、筒部２の外周面には、例えば図外の板ばねが設けられており、当該筒部２が換気孔９２内に押し込まれて当該板ばねが換気孔９２の内面にばね弾性によって押し付けられることによって、換気口端末部材１が換気孔９２に固定され、当該固定された状態で、フード部３の後板３５の上縁、左縁、右縁と外壁面９３との隙間にシーリング材等の隙間充填剤が充填されることにより、換気口端末部材１が換気孔９２に取付けられる。
【００１１】
また、フード部３の後板３５の下端側には、フード部３の板面を伝って流れてくる水を受けて当該受けた水を外壁面９３から離れた外壁面９３の前側に流す水切部３９を備える。
水切部３９は、例えば、フード部３の後板３５において室外側通風孔３６よりも下方に突出した部分により形成された奥板３９ａと、奥板３９ａの下端側の左右の側縁より突出する突出片３９ｂ，３９ｂと、奥板３９ａの下端及び左右の突出片３９ｂ，３９ｂの下端より前方下方に傾斜して突出する傾斜片３９ｃと、傾斜片３９ｃの左右の側縁より上方に立ち上がるように設けられた左右の規制片３９ｄ，３９ｄとを備えた構成である。
当該水切部３９を備えたので、フード部３の板面を伝って流れてくる水滴が傾斜片３９ｃを介して外壁面９３の前側に流下して、下階の換気孔９２に取付けられた換気口端末部材１の水滴受板５上に落下するので、水滴が外壁面９３を伝って流れ落ちることを防止でき、外壁面９３に水跡が付いてしまうことを防止できる。
【００１２】
フード部３の天板３２の上に弾性支持体４を介して設けられた水滴受板５は、フード部３の天板３２の上方を覆うように配置された屋根形状の板材により構成される。
図１に示すように、例えば、水滴受板５の上面は、寄棟の頂上部がフード部３の天板３２の長方形よりも一回り小さい相似な長方形の平面状となった屋根形状に形成される。
換言すれば、水滴受板５は、例えば、フード部３の天板３２の長方形よりも一回り小さい長方形状の板により形成されて板面がフード部３の天板３２の板面と所定の間隔を隔てて平行に対向すように配置された中央板部５１と、当該中央板部５１を構成する長方形の各辺縁から対応するフード部３の天板３２の長方形の各辺縁に近付くように傾斜する傾斜板により形成された周辺板部５２，５２…とを備えた構成である。
そして、水滴受板５は、中央板部５１を構成する長方形の中心５Ｃが、フード部３の天板３２の板面と直交して当該天板３２の長方形の中心を通過する垂直線Ｖ上に位置されるように、弾性支持体４を介してフード部３の天板３２の上に設けられる。
【００１３】
そして、図５に示すように、上下階の外壁９１，９１に、換気口端末部材１のフード部３及び水滴受板５が外壁面９３より外側に突出するように各換気口端末部材１，１が設けられ、各換気口端末部材１，１の各水滴受板５，５の中心５Ｃ，５Ｃが、垂直線Ｖ上に位置された建物９０が構成される。
当該建物９０においては、上階に取付けられた換気口端末部材１のフード部３の板面を伝って水切部３９に流れてくる水が水切部３９の傾斜片３９ｃの前端を介して下階に取付けられた換気口端末部材１の水滴受板５の上に落下する。
【００１４】
そして、水滴受板５への水滴落下衝突時のＡ特性音圧レベルを低減するため、実施形態１に係る換気口端末部材１では、フード部３の天板３２の上に弾性支持体４を介して水滴受板５を設けるとともに、当該水滴受板５に質量体Ｘを付加した構成とし、当該水滴受板５と弾性支持体４と質量体Ｘとで構成される防振体の一次固有振動数ｆ０を、オクターブバンドの１６Ｈｚ以上で１２５Ｈｚ以下の周波数となるように、より好ましくは、オクターブバンドの１６Ｈｚ以上で６３Ｈｚ以下の周波数となるように設定した。
【００１５】
弾性支持体４は、板ばね６０を使用した。当該板ばね６０は、図６に示すように、天板３２の上面の中央側に連結される中央板部６２と、中央板部６２の左右両方の端部からそれぞれ天板３２の上面と直交して水滴受板５の中央板部５１に近づく方向に延長する左右の立ち上がり板部６３，６３と、左右の立ち上がり板部６３，６３の上端からそれぞれ互いに反対方向に上がって傾斜するように延長する左右の傾斜板部６４，６４と、各傾斜板部６４，６４の上端からそれぞれ互いに反対方向に延長して水滴受板５の中央板部５１の下面５１ｕと接触して水滴受板５の中央板部５１の左右両側に連結される左右両方の端板部６１，６１とを備えた形状のものを用いた。
【００１６】
即ち、実施形態１の換気口端末部材１は、図６に示すように、弾性支持体４を、ばねとしての板ばね６０により構成し、当該板ばね６０の中央板部６２の中心と天板３２の上面の中心とを一致させた状態で当該中央板部６２と天板３２とが１組以上のボルト４１及びナット４２により連結されるとともに、天板３２に連結された板ばね６０の中央板部６２よりも上方に位置された板ばね６０の左右両方の端板部６１，６１と中央板部５１の左右側とがボルト４１及びナット４２により連結された構成とした。
尚、天板３２の下面とナット４２との間、端板部６１の下面とナット４２との間には、例えば、平座金４３及びばね座金４４が設置される。
【００１７】
質量体Ｘは、例えば、錘、補強板等により形成され、図外のねじ、リベット、溶接、接着剤、接着テープ等の結合手段により、水滴受板５から容易に外れないように水滴受板５に結合され、例えば、水滴受板５における中央板部５１の下面５１ｕの中央側に結合される。
例えば、水滴受板５における中央板部５１の中央に貫通孔を設けるとともに、質量体Ｘの上下面に亘って貫通する貫通孔を設け、これら貫通孔にボルトを貫通させた後、当該ボルトの先端側からナットを螺着して締結することにより、水滴受板５と質量体Ｘとを結合させるようにすればよい。
【００１８】
尚、実施形態１及び後述する各実施形態の換気口端末部材１において、水滴受板５と弾性支持体４と質量体Ｘとで構成される防振体の一次固有振動数ｆ０は、次式（１）で求めることができる。
【数１】
2020106246.tif 000003
ここで、
ｆ０：防振体の一次固有振動数（Ｈｚ）
ｍ：水滴受板側（＝水滴受板５＋質量体Ｘ）の質量（ｋｇ）
ｋ：弾性支持体のばね定数（Ｎ／ｍ）
【００１９】
一般に、上述した防振体の一次固有振動数ｆ０を低くするためには、弾性支持体４のばね定数を小さくすればよいが、弾性支持体４のばね定数を小さくしすぎると、弾性支持体４が柔らかくなりすぎて、防振体を構造体として成立させることが難しくなる。
そこで、本発明では、弾性支持体４のばね定数を変えずに、水滴受板５に質量体Ｘを付加して水滴受板側の質量を大きくすることによって、防振体の一次固有振動数ｆ０を低くすることに着目した。
【００２０】
本発明の換気口端末部材１の水滴落下衝突音低減効果を確認するための実験を以下のように行った。
【００２１】
・実験方法
共同住宅の給気孔に取付けた換気口端末部材の各試験体に水滴が落下する状況を模擬した実験を簡易無響室内で行った。
実験設備は以下のとおりである。
足場の下部に内径９００ｍｍ角の箱（内部をグラスウールで吸音処理した箱）を設置し、箱の正面中央の位置の外側に換気口端末部材の試験体を設置するとともに、内側にレジスター（内側換気口）を設置した。レジスターは樹脂製のプッシュタイプとし、実験時は「開」の状態とした。
共同住宅の一般的な階高を想定し、換気口端末部材の試験体天端に高さ３ｍの位置からスポイトを使って水滴を落下させた。
水滴落下衝突音の測定は、マイクロホンを箱内部の中心の位置に設置し、水滴落下衝突音のＡ特性音圧レベルを測定した。水滴の落下回数は、１試験体に対し５０回とし、外部からの影響の小さい４０回のデータの平均値を測定値とした。
【００２２】
・換気口端末部材の各試験体
実験に用いた換気口端末部材の各試験体の設計値は、図７及び図９に示すとおりである。
即ち、図７及び図９において、
（ａ）対策なし＝天板の上に水滴受板を備えない構成の換気口端末部材。
（ｂ）特許文献１＝特許文献１に開示された構成の換気口端末部材（防振体のばね定数ｋ＝２４８．８Ｎ／ｍｍ、防振体の一次固有振動数ｆ０＝３００Ｈｚ）。
（ｃ）αｇ（水滴受板の質量α＝５２ｇ、１３６ｇ、１１２ｇ）＋０ｇ＝実施形態１の換気口端末部材１から質量体Ｘを除去した構成の換気口端末部材（以下、「質量体なし」という）。
（ｄ）αｇ（水滴受板の質量α＝５２ｇ、１３６ｇ、１１２ｇ）＋βｇ（質量体Ｘの質量β＝２６ｇ、５２ｇ、７８ｇ、１０４ｇ）＝実施形態１の換気口端末部材１（以下、「質量体あり」という）。
また、（ｃ）質量体なし、及び、（ｄ）質量体ありの各試験体では、弾性支持体のばね定数ｋが、ｋ＝２．４Ｎ／ｍｍ、ｋ＝４．３Ｎ／ｍｍ、ｋ＝８．３Ｎ／ｍｍ、ｋ＝４．９Ｎ／ｍｍのものを使用して測定を行った。
また、筒部の内径（φ）を１００ｍｍとした試験体と、筒部の内径（φ）を１５０ｍｍとした試験体とを用いて測定を行った。
【００２３】
尚、各換気口端末部材の試験体の材質、寸法等は、以下のとおりである。
共通部分＝筒部、フード部、水滴受板の材質＝ステンレス鋼ＳＵＳ３０４、水滴受板の短辺４３ｍｍ、長辺１５０ｍｍ。
筒部の内径（φ）が１００ｍｍの試験体は、水滴受板の板厚１．０ｍｍ、水滴受板の質量＝５２ｇ、あるいは、水滴受板の板厚２．５ｍｍ、水滴受板の質量＝１３６ｇ。
筒部の内径（φ）が１５０ｍｍの試験体は、水滴受板の板厚１．０ｍｍ、水滴受板の質量＝１１２ｇ。
【００２４】
・実験結果
図７乃至図１２に、上述した換気口端末部材の各試験体のＡ特性音圧レベルの測定結果を示す。
尚、図７及び図８は、各試験体の換気口端末部材として筒部の内径（φ）が１００ｍｍの試験体を使用した場合のＡ特性音圧レベルの測定結果を示す。
図９及び図１０は、各試験体の換気口端末部材として筒部の内径（φ）が１５０ｍｍの試験体を使用した場合のＡ特性音圧レベルの測定結果を示す。
また、図１１は、各試験体の換気口端末部材として筒部の内径（φ）が１００ｍｍの試験体を使用した場合の各試験体の防振体の一次固有振動数ｆ０とＡ特性音圧レベルとの関係を示す。
図１２は、各試験体の換気口端末部材として筒部の内径（φ）が１５０ｍｍの試験体を使用した場合の各試験体の防振体の一次固有振動数ｆ０とＡ特性音圧レベルとの関係を示す。
【００２５】
筒部の内径（φ）が１００ｍｍの各試験体の測定結果を比較すると、対策なし、及び、特許文献１の試験体と比べて、質量体なし、質量体ありの試験体では、Ａ特性音圧レベルが低く、水滴落下衝突音の低減効果に優れていることがわかる。
さらに、質量体なしの試験体と質量体ありの試験体とを比べると、質量体あり試験体のほうが、Ａ特性音圧レベルが低く、水滴落下衝突音の低減効果に優れていることがわかる。
また、筒部の内径（φ）が１５０ｍｍの各試験体の測定結果においても、同様に、質量体ありの試験体では、他の試験体と比べて、Ａ特性音圧レベルが低く、水滴落下衝突音の低減効果に優れていることがわかる。
また、図１１，図１２から明らかなように、防振体の一次固有振動数ｆ０を低くした場合に、Ａ特性音圧レベルを低くできることがわかる。
【００２６】
また、水滴受板の板厚を厚くして水滴受板自体の質量を大きくした場合、即ち、水滴受板の質量＝１３６ｇとした試験体の場合、防振体の一次固有振動数ｆ０が低くなるので、水滴落下衝突時における中高周波数帯域の音を低減させる効果が向上し、水滴落下衝突時のＡ特性音圧レベルが低くなっている。しかしながら、この場合、水滴受板の板厚を厚くしなければならず、水滴受板の材料費が嵩むという問題が生じる。
一方、実施形態１のように、水滴受板に質量体Ｘを付加した構成とすれば、水滴受板の板厚を薄くして水滴受板の材料費を抑えることができるとともに、水滴落下衝突時のＡ特性音圧レベルが低く、水滴落下衝突音の低減効果に優れた換気口端末部材を得ることができる。
【００２７】
以上から明らかなように、実施形態１に係る換気口端末部材１によれば、筒部２と、フード部３と、フード部３の天板３２の上に弾性支持体４を介して設けられた水滴受板５と、水滴受板５に付加された質量体Ｘとを備えた構成としたので、弾性支持体４のばね定数を小さくしすぎないようにできて、防振体を構造体として成立させることができるとともに、水滴落下衝突時のＡ特性音圧レベルを低減できて、水滴落下衝突音の低減効果に優れた換気口端末部材１を提供できる。
また、実施形態１に係る換気口端末部材１によれば、水滴受板５と弾性支持体４と質量体Ｘとで構成される防振体の一次固有振動数ｆ０が、オクターブバンドの１６Ｈｚ以上で１２５Ｈｚ以下の周波数となるように設定したので、水滴落下衝突時における中高周波数帯域の音を低減させる効果が向上し、水滴落下衝突時のＡ特性音圧レベルをより低減できて、水滴落下衝突音の低減効果に優れた換気口端末部材１を得ることができる。
【００２８】
実施形態２
図１３に示すように、実施形態２の換気口端末部材１は、弾性支持体４を、ばねとしての板ばね６０により構成し、当該板ばね６０は、水滴受板５の中央板部５１の下面５１ｕと接触して中央板部５１の中央側に連結される中央板部６２と、中央板部６２の左右両方の端部からそれぞれ中央板部５１の下面５１ｕと直交して天板３２に近づく方向に延長する左右の立ち下がり板部６３，６３と、左右の立ち下がり板部６３，６３の下端からそれぞれ互いに反対方向に下って傾斜して延長する左右の傾斜板部６４，６４と、各傾斜板部６４，６４の下端からそれぞれ互いに反対方向に延長して天板３２の上面と接触して天板３２に連結される左右両方の端板部６１，６１とを備えた形状のものを用いた。即ち、実施形態１の換気口端末部材１で説明した板ばね６０を上下逆向きにして使用した。
【００２９】
実施形態２の換気口端末部材１は、例えば図１３に示すように、板ばね６０の左右両方の端板部６１，６１がフード部３の天板３２にボルト４１及びナット４２により連結されるとともに、天板３２に連結された板ばね６０の左右両方の端板部６１，６１よりも上方に位置された板ばね６０の中央板部６２と水滴受板５の中央板部５１とが１組以上のボルト４１及びナット４２により連結された構成とした。
尚、天板３２の下面とナット４２との間、中央板部６２の下面とナット４２との間には、例えば、平座金４３及びばね座金４４が設置される。
【００３０】
そして、実施形態２に係る換気口端末部材１では、水滴受板５における中央板部５１の下面５１ｕの左右両側にそれぞれ質量体Ｘ，Ｘが付加されて構成され、板ばね６０と水滴受板５と質量体Ｘ，Ｘとで構成される防振体の一次固有振動数ｆ０を、オクターブバンドの１６Ｈｚ以上で１２５Ｈｚ以下の周波数となるように、より好ましくは、オクターブバンドの１６Ｈｚ以上で６３Ｈｚ以下の周波数となるように設定した。
【００３１】
実施形態３
図１４に示すように、実施形態３の換気口端末部材１は、弾性支持体４を、ばねとしての複数の板ばね６０Ａ，６０Ｂにより構成し、当該複数の板ばね６０Ａ，６０Ｂと水滴受板５と質量体Ｘとで構成される防振体の一次固有振動数ｆ０を、オクターブバンドの１６Ｈｚ以上で１２５Ｈｚ以下の周波数となるように、より好ましくは、オクターブバンドの１６Ｈｚ以上で６３Ｈｚ以下の周波数となるように設定した。
【００３２】
板ばね６０Ａは、天板３２の上面と接触して天板３２に連結される左右両方の端板部６１Ａ，６１Ａと、左右両方の端板部６１Ａ，６１Ａ間を繋ぐ湾曲板部６２Ａとを備えた形状のものを用いた。
また、板ばね６０Ｂは、水滴受板５の中央板部５１の下面５１ｕと接触して中央板部５１に連結される左右両方の端板部６１Ｂ，６１Ｂと、左右両方の端板部６１Ｂ，６１Ｂ間を繋ぐ湾曲板部６２Ｂとを備えた形状のものを用いた。
【００３３】
実施形態３の換気口端末部材１は、例えば図１４に示すように、一方の板ばね６０Ａの左右両方の端板部６１Ａ，６１Ａが天板３２の左右側にボルト４１及びナット４２により連結されるとともに、他方の板ばね６０Ｂの左右両方の端板部６１Ｂ，６１Ｂが水滴受板５の中央板部５１の左右側にボルト４１及びナット４２により連結され、かつ、一方の板ばね６０Ａの左右両方の端板部６１Ａ，６１Ａよりも上方に位置された一方の板ばね６０Ａの湾曲板部６２Ａの中央部と他方の板ばね６０Ｂの左右両方の端板部６１Ｂ，６１Ｂよりも下方に位置された他方の板ばね６０Ｂの湾曲板部６２Ｂの中央部とがボルト４１及びナット４２により連結された構成とした。
そして、質量体Ｘは、例えば、水滴受板５における中央板部５１の下面５１ｕの中央側に付加した。
尚、天板３２の下面とナット４２との間、他方の板ばね６０Ｂの端板部６１Ｂの下面とナット４２との間、一方の板ばね６０Ａの湾曲板部６２Ａの中央部の下面とナット４２との間には、例えば、平座金４３及びばね座金４４が設置される。
【００３４】
実施形態４
図１５に示すように、実施形態４の換気口端末部材１は、弾性支持体４を、ばねとしてのコイルばね（圧縮コイルばね）６０Ｃと支軸４６とにより構成し、当該コイルばね６０Ｃと支軸４６と水滴受板５と質量体Ｘとで構成される防振体の一次固有振動数ｆ０を、オクターブバンドの１６Ｈｚ以上で１２５Ｈｚ以下の周波数となるように、より好ましくは、オクターブバンドの１６Ｈｚ以上で６３Ｈｚ以下の周波数となるように設定した。
質量体Ｘは、例えば、水滴受板５における中央板部５１の下面５１ｕの中央側に付加した。
【００３５】
コイルばね６０Ｃは、水滴受板５の中央板部５１の左端部側に配置された左のコイルばね６０Ｃと、水滴受板５の中央板部５１の右端部側に配置された右のコイルばね６０Ｃとを用いた。
【００３６】
実施形態４の換気口端末部材１は、例えば図１５に示すように、コイルばね６０Ｃの一端６１Ｃ側が、天板３２の上面と接触するか、又は、天板３２と連結されるとともに、コイルばね６０Ｃの他端６２Ｃ側が、水滴受板５の下面と接触するか、又は、水滴受板５と連結された構成とした。
【００３７】
具体的には、図１５に示すように、水滴受板５の中央板部５１の下面５１ｕの左右側には、当該下面５１ｕから突出するように支軸４６，４６が設けられている。即ち、当該支軸４６の他端４６ａが溶接等の固定手段によって水滴受板５の中央板部５１に下面５１ｕに取付けられている。
また、フード部３の天板３２において、コイルばね６０Ｃの一端６１Ｃが配置される位置には、それぞれ、支軸４６を貫通させるための軸貫通孔４７が形成されている。
【００３８】
そして、実施形態４の換気口端末部材１は、水滴受板５の中央板部５１の下面５１ｕに固定されている支軸４６を、コイルばね６０Ｃの他端６２Ｃ側からコイルばね６０Ｃの中空部及び天板３２の軸貫通孔４７に通して、支軸４６の一端４６ｂ側を天板３２の下面より下方に突出させ、当該支軸４６の一端４６ｂ側に軸止部材４８を取付けることによって、コイルばね６０Ｃの他端６２Ｃが水滴受板５の中央板部５１の下面５１ｕに接触し、かつ、コイルばね６０Ｃの一端６１Ｃが天板３２の上面に接触した状態が維持されるように構成される。
【００３９】
また、実施形態４では、弾性支持体４は、コイルばね６０Ｃの他端６２Ｃと水滴受板５の中央板部５１の下面とを溶接、接着等の固定手段によって連結するとともに、コイルばね６０Ｃの一端６１Ｃと天板３２の上面とを溶接、接着等の固定手段によって連結した構成としてもよい。
【００４０】
また、図示しないが、実施形態４では、弾性支持体４は、支軸４６を備えずに、例えば、コイルばね６０Ｃの他端６２Ｃと水滴受板５の中央板部５１の下面とが溶接、接着等の固定手段によって連結され、かつ、コイルばね６０Ｃの一端６１Ｃと天板３２の上面とが溶接、接着等の固定手段によって連結された構成としてもよい。
【００４１】
即ち、実施形態４の換気口端末部材１は、弾性支持体４を、ばねとしてコイルばね（圧縮コイルばね）６０Ｃにより構成し、当該コイルばね６０Ｃと水滴受板５と質量体Ｘとで構成される防振体の一次固有振動数ｆ０を、オクターブバンドの１６Ｈｚ以上で１２５Ｈｚ以下の周波数となるように、より好ましくは、オクターブバンドの１６Ｈｚ以上で６３Ｈｚ以下の周波数となるように設定した構成としてもよい。
【００４２】
実施形態５
図１６に示すように、実施形態５の換気口端末部材１は、弾性支持体４を、ゴム７０と実施形態１（図６参照）の板ばね６０とにより構成し、当該板ばね６０とゴム７０と水滴受板５と質量体Ｘとで構成される防振体の一次固有振動数ｆ０を、オクターブバンドの１６Ｈｚ以上で１２５Ｈｚ以下の周波数となるように、より好ましくは、オクターブバンドの１６Ｈｚ以上で６３Ｈｚ以下の周波数となるように設定した。
質量体Ｘは、例えば、水滴受板５における中央板部５１の下面５１ｕの中央側に付加した。
【００４３】
実施形態５の換気口端末部材１は、例えば図１６に示すように、板ばね６０の中央板部６２が天板３２の中央部にゴム７０を介してボルト４１及びナット４２により連結されるとともに、天板３２に連結された板ばね６０の中央板部６２よりも上方に位置された板ばね６０の左右両方の端板部６１，６１と水滴受板５の中央板部５１の左右側とがボルト４１及びナット４２により連結された構成とした。
尚、端板部６１の下面とナット４２との間には、例えば、平座金４３及びばね座金４４が設置される。
【００４４】
板ばね６０の中央板部６２とフード部３の天板３２とのゴム連結部７は、具体的には、次のように構成される。
板ばね６０の中央板部６２には、ボルト４１を貫通させるボルト貫通孔が形成されている。
また、ゴム７０は、中心に、金属筒４５を装着するための装着孔７３が形成された円筒状でかつ外周面には外周面を一周するリング状の溝７１が形成された円筒状のゴムである。
また、フード部３の天板３２において、板ばね６０の中央板部６２が連結される位置には、円筒状のゴム７０が嵌め込まれる嵌合用貫通孔７２が形成されている。
【００４５】
予めゴム７０の装着孔７３内に金属筒４５を装着しておき、そして、フード部３の天板３２に形成された嵌合用貫通孔７２の孔縁が円筒状のゴム７０のリング状の溝７１に嵌まり込むように、ゴム７０を嵌合用貫通孔７２に取付ける。
その後、板ばね６０の中央板部６２に形成されたボルト貫通孔とゴム７０の内側に装着された金属筒４５の筒孔とが一致するように、板ばね６０の中央板部６２を天板３２の上面より上方に突出するゴム７０の一端面に設置し、ボルト４１を板ばね６０の中央板部６２のボルト貫通孔と金属筒４５の筒孔とに通してボルト４１の先端側を天板３２の下面より下方に突出するゴム７０の他端面より下方に突出させる。
そして、このゴム７０の他端面より下方に突出させたボルト４１の先端側に例えば平座金４３及びばね座金４４を介してナット４２を締結することにより、板ばね６０の中央板部６２と天板３２とがゴム７０を介してボルト４１及びナット４２により連結された構造のゴム連結部７が構成される。
尚、板ばね６０の中央板部６２と天板３２と連結するゴム連結部７は、図１４に示すように、１組以上設けられる。
【００４６】
また、図示しないが、実施形態５においては、弾性支持体４は、板ばね６０の端板部６１側及び中央板部６２のうちの少なくとも一方が、ゴム連結部７によって連結された構成とすればよい。例えば、実施形態５の弾性支持体４は、板ばね６０の左右両方の端板部６１，６１がゴム連結部７を介して水滴受板５に連結されるとともに、板ばね６０の中央板部６２がゴム連結部７を介して天板３２に連結された構成としてもよい。
【００４７】
即ち、実施形態５の換気口端末部材１は、図１６に示すように、実施形態１の板ばね６０と同じものを使用して、当該板ばね６０の中央板部６２と天板３２の中央側との連結部を１組以上のゴム連結部７により構成した。
尚、図１６において特に説明しなかった部分の構成は、実施形態１（図６）の構成と同じである。
【００４８】
実施形態６
図１７に示すように、実施形態６の換気口端末部材１は、弾性支持体４を、例えば実施形態１（図６参照）や実施形態５（図１６参照）で示した板ばね６０と同様な形状に形成されてばね機能を持つゴムとしてのゴム板６００により構成し、当該ゴム板６００と水滴受板５と質量体Ｘとで構成される防振体の一次固有振動数ｆ０を、オクターブバンドの１６Ｈｚ以上で１２５Ｈｚ以下の周波数となるように、より好ましくは、オクターブバンドの１６Ｈｚ以上で６３Ｈｚ以下の周波数となるように設定した。
質量体Ｘは、例えば、水滴受板５における中央板部５１の下面５１ｕの中央側に付加した。
【００４９】
ゴム板６００は、フード部３の天板３２に連結される中央板部６０２と、中央板部６０２の左右の端部からそれぞれ天板３２と直交して水滴受板５に近づく方向に延長する左右の立ち上がり板部６０３，６０３と、左右の立ち上がり板部６０３，６０３の上端からそれぞれ互いに反対方向に上がって延長する左右の傾斜板部６０４，６０４と、各傾斜板部６０４，６０４の上端からそれぞれ互いに反対方向に延長して水滴受板５に連結される左右両方の端板部６０１，６０１とを備えた形状のものを用いた。
【００５０】
即ち、実施形態６の換気口端末部材１は、図１７に示すように、ゴム板６００の左右両方の端板部６０１，６０１が水滴受板５の中央板部５１の左右側にボルト４１及びナット４２により連結されるとともに、中央板部５１の左右側に連結された左右の端板部６０１，６０１よりも下方に位置された中央板部６０２が天板３２の中央側にボルト４１及びナット４２により連結された構成とした。
尚、天板３２の下面とナット４２との間、端板部６０１の下面とナット４２との間には、例えば、平座金４３及びばね座金４４が設置される。
【００５１】
各実施形態２乃至実施形態６の換気口端末部材１によれば、弾性支持体４を、ばね（板ばね６０、板ばね６０Ａと板ばね６０Ｂの組み合わせ、コイルばね６０Ｃ）、あるいは、ばねとゴム７０、あるいは、ゴム板（ゴム）６００により構成し、当該弾性支持体４と水滴受板５と質量体Ｘとで構成される防振体の一次固有振動数ｆ０を、オクターブバンドの１６Ｈｚ以上で１２５Ｈｚ以下の周波数となるように、より好ましくは、オクターブバンドの１６Ｈｚ以上で６３Ｈｚ以下の周波数となるように設定したので、実施形態１の換気口端末部材１と同様に、弾性支持体４のばね定数を小さくしすぎないようにできて、防振体を構造体として成立させることができるとともに、水滴落下衝突時のＡ特性音圧レベルを低減できて、水滴落下衝突音の低減効果に優れた換気口端末部材１となる。
【００５２】
即ち、各実施形態１乃至実施形態６の換気口端末部材１によれば、一次固有振動数ｆ０の√２倍にあたる周波数より高い周波数帯において振動伝達率が１以下の防振域となるので、水滴受板５からフード部３への振動伝達が抑制されて、水滴の落下衝突で生成された振動エネルギーのフード部３への伝播を抑制することができる。
【００５３】
また、当該一次固有振動数ｆ０の周辺の周波数帯は振動増幅域であり、各実施形態１乃至実施形態６で示した防振体の構造を採用することにより、防振体の一次固有振動数ｆ０の共振ポイントの増幅倍率は大きくなるが、一次固有振動数ｆ０の近辺の周波数帯は周波数補正Ａ特性での補正量が大きな領域であるため、人が感じる音圧レベルとしては低い値になる。
【００５４】
また、実施形態５（図１６参照）に示した換気口端末部材１のように、弾性支持体４がゴム連結部７を備えた構成の場合、ゴム連結部７のゴム７０が有する減衰の効果によって、防振体の共振ポイントの増幅倍率を低下させる効果が付与されるので、共振ポイントの弊害を抑えて水滴落下衝突音の低減効果を向上した換気口端末部材１を得ることができる。
【００５５】
また、実施形態６（図１７参照）に係る換気口端末部材１によれば、弾性支持体４を、ばね機能を持つように形成されたゴム板６００で構成したため、ゴムが有する減衰の効果を持たせることができるので、防振体の共振ポイントの増幅倍率を低下させる効果が付与され、共振ポイントの弊害を抑えて水滴落下衝突音の低減効果を向上した換気口端末部材１を得ることができる。
【００５６】
また、本発明によれば、上述した換気口端末部材１のフード部３及び水滴受板５が外壁面９３よりも外側に突出するように当該換気口端末部材１が外壁９１に設けられ、上下階の外壁９１に設けられた各換気口端末部材１，１…の各水滴受板５，５…が、垂直線Ｖ上に位置された建物９０を構築することによって、上階の換気口端末部材１から水滴Ｗが落下して下階の換気口端末部材１の水滴受板５に衝突した際に生じる水滴落下衝突音の低減効果に優れた建物９０を提供できる。
【００５７】
尚、換気口端末部材１の全体形状は丸形でもよい。
また、換気口端末部材１のフード部３の天板３２や水滴受板５の形状は矩形でなくてもよい。
また、換気口端末部材１は、開口部が、フード部３の下部のみでなく、フード部３の側面、正面に設けられた構成であってもよい。また、開口部にネットが張られた構成のものであってもよい。
【００５８】
また、換気口端末部材１は、筒部２を備えずに、外壁に直接取り付けられる構成のものであってもよい。
【００５９】
また、水滴受板５と弾性支持体４との連結、弾性支持体４と天板３２との連結は、ボルト及びナットによる連結でなくともよい。例えば、溶接や接着剤等によって連結された構成としてもよい。
【００６０】
尚、弾性支持体４、水滴受板５の形態は、特に限定されない。
【００６１】
また、各実施形態では、質量体Ｘを水滴受板５の下面５１ｕに付加した例を示したが、質量体Ｘを、水滴受板５の上面や端面に付加するようにしてもよい。即ち、質量体Ｘが水滴受板５の板面や端面から突出するように設けられていればよい。
【００６２】
また、質量体Ｘを弾性支持体４に付加した構成としてもよい。
【００６３】
尚、質量体Ｘは、どのような材質のものであってもよい。
また、質量体Ｘの個数は、１つ以上であればよい。
【００６４】
また、各実施形態では、水滴受板５と弾性支持体４と質量体Ｘとで構成される防振体の一次固有振動数ｆ０が、オクターブバンドの１６Ｈｚ以上で１２５Ｈｚ以下の周波数となるように設定された例を示したが、水滴受板５と弾性支持体４と質量体Ｘとで構成される防振体の一次固有振動数ｆ０が、オクターブバンドの１６Ｈｚ以上で１２５Ｈｚ以下の周波数となるように設定されていなくてもよい。例えば、当該防振体の一次固有振動数ｆ０が、オクターブバンドの１６Ｈｚよりも多少低い周波数となるように設定されたり、あるいは、当該防振体の一次固有振動数ｆ０が、オクターブバンドの１２５Ｈｚよりも多少高い周波数となるように設定されていても構わない。
【符号の説明】
【００６５】
１  換気口端末部材、３  フード部、４  弾性支持体、５  水滴受板、
３２  フード部の天板、９０  建物、９１  外壁、９２  換気孔、９３  外壁面、
Ｘ  質量体。
【図１】
2020106246.tif 000004
【図２】
2020106246.tif 000005
【図３】
2020106246.tif 000006
【図４】
2020106246.tif 000007
【図５】
2020106246.tif 000008
【図６】
2020106246.tif 000009
【図７】
2020106246.tif 000010
【図８】
2020106246.tif 000011
【図９】
2020106246.tif 000012
【図１０】
2020106246.tif 000013
【図１１】
2020106246.tif 000014
【図１２】
2020106246.tif 000015
【図１３】
2020106246.tif 000016
【図１４】
2020106246.tif 000017
【図１５】
2020106246.tif 000018
【図１６】
2020106246.tif 000019
【図１７】
2020106246.tif 000020